(57)【特許請求の範囲】
【請求項１】
一端が開口し、該開口端部において、その両側に大径部を有する絞り部の内面に雌ねじ部が螺設された筒状の本体と、
該本体内に収容された乾燥剤と、
雄ねじ部を有し、該雄ねじ部が前記本体の雌ねじ部と螺合することにより前記本体の開口端部に装着され、前記本体の内部に連通する冷媒入口穴及び冷媒出口穴を有するコンデンサ側接続部と、
一端部が前記冷媒出口穴に連通し、他端部側に前記本体の開口端部に固定するための固定部を有するパイプと、
該パイプの他端部に配置され、前記冷媒入口穴から流入した冷媒に含まれる異物が前記冷媒出口穴から流出するのを防止するストレーナと、
前記パイプの周囲に前記本体内部及び前記冷媒入口穴に連通する冷媒流路とを備え、
前記コンデンサ側接続部が前記本体に装着された際に、前記パイプの一端部が前記コンデンサ側接続部に固定されることを特徴とするレシーバドライヤ。
【発明の詳細な説明】
【技術分野】
【０００１】
本発明は、自動車用の空調装置等に使用される冷媒を貯溜するとともに、冷媒中の水分を除去するために用いられるレシーバドライヤに関する。
【背景技術】
【０００２】
従来、この種のレシーバドライヤとして、例えば、特許文献１には、冷媒の流入通路と流出通路の間における簡素な構造の冷媒のシールを得ながら、空調装置の冷媒を貯溜、乾燥するレシーバドライヤ一体型コンデンサが提案されている。
【０００３】
このレシーバドライヤ一体型コンデンサは、図６に示すように、冷媒流路６２、６３を有し、レシーバドライヤ７０を組み付けるための開口部６４を備え、レシーバドライヤ７０の本体７０ａ内には、乾燥剤７１やフィルタ７２等の部材が収容される。本体７０ａの先端には、絞り加工により継手部７０ｂが形成される。レシーバドライヤ７０の継手部７０ｂが挿入されるコンデンサ６１の開口部６４は、冷媒流路６２、６３に連通し、ストレーナ７３がコンデンサ６１の開口部６４に圧入されることで、冷媒流路６２、６３の間がシールされる。
【先行技術文献】
【特許文献】
【０００４】
【特許文献１】特開２００７−１１３８７５号公報
【発明の概要】
【発明が解決しようとする課題】
【０００５】
しかし、上記従来のレシーバドライヤ一体型コンデンサにおいては、図７に示すように、レシーバドライヤ７０の下端部に、冷媒流入用の穴７０ｃを穿設するため、穴加工の際にバリが発生し、本体７０ａ内に屑等の異物が侵入するおそれがあった。また、コンデンサ６１とレシーバドライヤ７０の隙間８０に水分が侵入し、この部分でコンデンサ６１及びレシーバドライヤ７０が腐食し、Ｏリング６５が装着されているものの、水分が開口部６４に侵入するおそれもあった。さらに、図６に示すように、レシーバドライヤ７０をコンデンサ６１に固定するにあたって本体７０ａの上端部を取付金具７４で押さえるため、部品点数が多くなるという問題もあった。
【０００６】
そこで、本発明は、上記従来のレシーバドライヤ一体型コンデンサ等における問題点に鑑みてなされたものであって、本体内への異物の侵入を防止し、外部からの水分の侵入による腐食を防止し、部品点数の少ないレシーバドライヤを提供することを目的とする。
【課題を解決するための手段】
【０００７】
上記目的を達成するため、本発明のレシーバドライヤは、一端が開口し、該開口端部において、その両側に大径部を有する絞り部の内面に雌ねじ部が螺設された筒状の本体と、該本体内に収容された乾燥剤と、雄ねじ部を有し、該雄ねじ部が前記本体の雌ねじ部と螺合することにより前記本体の開口端部に装着され、前記本体の内部に連通する冷媒入口穴及び冷媒出口穴を有するコンデンサ側接続部と、一端部が前記冷媒出口穴に連通し、他端部側に前記本体の開口端部に固定するための固定部を有するパイプと、該パイプの他端部に配置され、前記冷媒入口穴から流入した冷媒に含まれる異物が前記冷媒出口穴から流出するのを防止するストレーナと、前記パイプの周囲に前記本体内部及び前記冷媒入口穴に連通する冷媒流路とを備え、前記コンデンサ側接続部が前記本体に装着された際に、前記パイプの一端部が前記コンデンサ側接続部に固定されることを特徴とする。
【０００８】
本発明のレシーバドライヤによれば、コンデンサ側接続部に冷媒入口穴を穿設したため、本体には冷媒入口穴を穿設する必要がない。そのため、冷媒入口穴の穿設に伴う本体内への異物の侵入を防止することができる。また、簡素な構造で安価に製造できるとともに、組立性にも優れたものとなる。
【００１０】
さらに、本体の開口端部の内面に螺設された雌ねじ部がコンデンサ側接続部の雄ねじ部と螺合することで、本体がコンデンサ側接続部に装着されることにより、コンデンサ側接続部が本体の開口端部によって覆われるため、外部からの水分の侵入を防止することができ、コンデンサ側接続部及びレシーバドライヤの水による腐食を防止することができる。また、本体をコンデンサ側接続部にねじ部を介して固定することができるため、取付金具が別途必要になることがなく、部品点数を削減することもできる。
【００１１】
さらにまた、本体の雌ねじ部を、開口端部において、その両側に大径部を有する絞り部に螺設することにより、本体の開口端部に大径の肉厚部を残すことができ、本体の強度を確保しながら、より安定した状態で本体を支持することができる。
【発明の効果】
【００１２】
以上のように、本発明によれば、本体内への異物の侵入を防止し、外部からの水分の侵入による腐食を防止し、部品点数の少ないレシーバドライヤを提供することなどが可能となる。
【図面の簡単な説明】
【００１３】
【図１】本発明にかかるレシーバドライヤの第１の実施形態を示す断面図である。
【図２】図１のレシーバドライヤのコンデンサ側接続部及びその近傍を示す拡大図である。
【図３】図１のレシーバドライヤのフランジ付きパイプ及びストレーナを示す図であって（ａ）は底面図、（ｂ）は（ａ）のＡ−Ａ線断面図である。
【図４】本発明にかかるレシーバドライヤの第２の実施形態を示す断面図である。
【図５】図４のレシーバドライヤのコンデンサ側接続部及びその近傍を示す拡大図である。
【図６】従来のレシーバドライヤ一体型コンデンサの一例を示す断面図である。
【図７】図６のレシーバドライヤ一体型コンデンサの継手部の拡大図である。
【発明を実施するための形態】
【００１４】
次に、本発明を実施するための形態について、図面を参照しながら詳細に説明する。
【００１５】
図１は、本発明にかかるレシーバドライヤの第１の実施形態を示し、このレシーバドライヤ１は、有蓋円筒状で下端が開口する本体２と、本体２内に収容され、内部に乾燥剤４を封入した袋状のバッグ３と、本体２の下端部が装着され、コンデンサ（不図示）に固定されたコンデンサ側接続部５と、ストレーナ７を本体２の下部で保持するフランジ付きパイプ６等で構成される。
【００１６】
本体２は、金属等により全体的に同径の円筒状に形成され、下端部に絞り部２ａを有し、この絞り部２ａの内面には、図２に示すように、雌ねじ部２ｂが形成される。
【００１７】
図１に示すコンデンサ側接続部５は、金属を機械加工して形成され、本体５ａに冷媒入口穴５ｂ、冷媒出口穴５ｃ及び冷媒流路５ｄが穿設される。また、図２に示すように、コンデンサ側接続部５は、本体５ａの上部に雄ねじ部５ｅを有し、この雄ねじ部５ｅは、本体２の雌ねじ部２ｂと螺合する。コンデンサ側接続部５の本体５ａの外周部と、本体２の下端部との間をシールするためＯリング９が装着される。
【００１８】
フランジ付きパイプ６は、樹脂製で、図３に明示するにように、円筒状の本体６ａにフランジ６ｂを備え、上部６ｃにストレーナ７がインサート成形により一体化されている。フランジ６ｂの外径部には、雄ねじ部６ｇが螺設されている。また、上部６ｃには、図示を省略するが開口部が形成され、冷媒が通過可能となっている。フランジ付きパイプ６の下端は開口し、図３（ａ）に示すように、本体６ａとフランジ６ｂとは複数本のリブ６ｄで接続され、複数本のリブ６ｄの間には流入側冷媒流路６ｅが形成され、本体６ａの内部は流出側冷媒流路６ｆを構成する。 ストレーナ７は、金網等からなり、複数枚重ねて構成することもできる。
【００１９】
次に、上記構成を有するレシーバドライヤ１の組立方法について、図２を中心に図１乃至図３を参照しながら説明する。
【００２０】
まず、本体２の内部に、乾燥剤４を内包したバッグ３を収容する。次に、本体２の下端の開口からフランジ付きパイプ６をストレーナ７側から挿入し、本体２の雌ねじ部２ｂにフランジ付きパイプ６の雄ねじ部６ｇを螺合させながらフランジ付きパイプ６を上昇させる。フランジ付きパイプ６の雄ねじ部６ｇが本体２の雌ねじ部２ｂの上端部に達すると、フランジ付きパイプ６の上昇が停止する。これにより、バッグ３を収容した状態でストレーナ７とフランジ付きパイプ６とが本体２の下端部に固定される。
【００２１】
次に、コンデンサ（不図示）に固定されたコンデンサ側接続部５の雄ねじ部５ｅに本体２の雌ねじ部２ｂをねじ込むことで、本体２がコンデンサ側接続部５と一体化され、コンデンサにレシーバドライヤ１全体が装着される。
【００２２】
次に、レシーバドライヤ１の動作について、図２を中心に図１乃至図３を参照しながら説明する。尚、図２において冷媒の流れを矢印で示す。
【００２３】
コンデンサからコンデンサ側接続部５の冷媒入口穴５ｂを介して流入した冷媒は、冷媒流路５ｄを通り、図３（ｂ）のフランジ付きパイプ６の流入側冷媒流路６ｅを通過して本体２の内部に流入して乾燥剤４によって乾燥する。また、フランジ付きパイプ６の上部６ｃの開口部を介してフランジ付きパイプ６の内部に流入した冷媒は、ストレーナ７によって冷媒に含まれる異物が除去された後、フランジ付きパイプ６の流出側冷媒流路６ｆを通り、冷媒出口穴５ｃからコンデンサ側に流出する。
【００２４】
以上のように、上記レシーバドライヤ１では、本体２に冷媒入口穴を穿設しないため、バリが発生せず、本体２内に屑等の異物が侵入するのを防止することができる。また、コンデンサ側接続部５の上部は、本体２の下端部で覆われているため、外部から水分がコンデンサ側接続部５内に侵入して溜まることがなく、コンデンサ側接続部５及びレシーバドライヤ１の内部の腐食を防止することができる。さらに、本体２の下端部をコンデンサ側接続部５にねじ込むだけで本体２を容易に固定することができる。また、コンデンサ側接続部５が本体２内に入り込むとともに、コンデンサ側接続部５の雄ねじ部５ｅに螺合する本体２の雌ねじ部２ｂが本体２の軸方向に十分に長く、本体２を安定した状態で支持することができるため、本体２の上部を抑える部材等が不要となり、部品点数の削減にも繋がる。これらに加え、本体２の下端部に、両側に大径部を有する絞り部２ａを形成し、雌ねじ部２ｂを絞り部２ａに形成したため、本体２の下端部に大径の肉厚部を残すことができ、本体の強度を確保しながら、より安定した状態で本体２を支持することができる。
【００２５】
次に、本発明にかかるレシーバドライヤの第２の実施形態について、図４及び図５を参照しながら説明する。
【００２６】
このレシーバドライヤ２１は、本体２２の下端部の形状、及びコンデンサ側接続部２５の構造、Ｏリング２９の径が、図１に示したレシーバドライヤ１の本体２、コンデンサ側接続部５及びＯリング９と異なり、他の構成要素は図１と同じであるため、同じ部品については、図１の場合と同一の参照番号を付してその説明を省略する。
【００２７】
本体２２の下端部には、絞り部２２ａが形成され、絞り部２２ａの内面には、雌ねじ部２２ｂが形成される。この本体２２の下端部には大径の肉厚部が存在しない。
【００２８】
コンデンサ側接続部２５には、本体２５ａに冷媒入口穴２５ｂ、冷媒出口穴２５ｃ及び冷媒流路２５ｄが穿設される。コンデンサ側接続部２５は、本体２５ａの上部に雄ねじ部２５ｅを有し、この雄ねじ部２５ｅが本体２２の雌ねじ部２２ｂと螺合する。コンデンサ側接続部２５の本体２５ａの外周部と、本体２２の下端部との間をシールするためＯリング２９が装着される。
【００２９】
このレシーバドライヤ２１の組立方法及び動作は、第１の実施形態のレシーバドライヤ１の場合と同様であるため、その説明を省略するが、レシーバドライヤ２１においても、レシーバドライヤ１と同様に、本体２２に冷媒入口穴を穿設しないため、バリが発生せず、本体２２内に屑等の異物が侵入するのを防止することができる。また、コンデンサ側接続部２５の上部は、本体２２の下端部で覆われているため、外部から水分がコンデンサ側接続部２５内に侵入して溜まることがなく、コンデンサ側接続部２５及びレシーバドライヤ２１の腐食を防止することができる。さらに、本体２２の下端部をコンデンサ側接続部２５にねじ込むだけで本体２２を容易に固定することができる。また、コンデンサ側接続部２５が本体２２内に入り込むとともに、コンデンサ側接続部２５の雄ねじ部２５ｅに螺合する本体２２の雌ねじ部２２ｂが本体２２の軸方向に十分に長く、本体２２を安定した状態で支持することができるため、本体２２の上部を抑える部材等が不要となり部品点数の削減にも繋がる。
【符号の説明】
【００３０】
１  レシーバドライヤ
２  本体
２ａ  絞り部
２ｂ  雌ねじ部
３  バッグ
４  乾燥剤
５  コンデンサ側接続部
５ａ  本体
５ｂ  冷媒入口穴
５ｃ  冷媒出口穴
５ｄ  冷媒流路
５ｅ  雄ねじ部
６  フランジ付きパイプ
６ａ  本体
６ｂ  フランジ
６ｃ  上部
６ｄ  リブ
６ｅ  流入側冷媒流路
６ｆ  流出側冷媒流路
６ｇ  雄ねじ部
７  ストレーナ
９  Ｏリング
２１  レシーバドライヤ
２２  本体
２２ａ  絞り部
２２ｂ  雌ねじ部
２５  コンデンサ側接続部
２５ａ  本体
２５ｂ  冷媒入口穴
２５ｃ  冷媒出口穴
２５ｄ  冷媒流路
２５ｅ  雄ねじ部
２９  Ｏリング
【図１】
0005624299.tif 000002
【図２】
0005624299.tif 000003
【図３】
0005624299.tif 000004
【図４】
0005624299.tif 000005
【図５】
0005624299.tif 000006
【図６】
0005624299.tif 000007
【図７】
0005624299.tif 000008